(57)【要約】　　　（修正有）【課題】順次搬送供給する荷体を移動車に直接次々と積み上げることができ、積み上げた荷体はそのまま移動車毎搬出して所望場所へ運搬することができる自動積み上げ装置を提供する。【解決手段】搬出入開放部２を設けた機体３にガイド機構５に沿って昇降自在に設け、この取付水平枠部４に荷体１外面の突出部分１１に上昇によって下方から引っ掛かり支承係止する係止爪部７を複数設け、取付水平枠部４の上昇によって荷体１は持ち上げ上昇され、取付水平枠部４の下降によって各係止爪部７は内方への付勢に抗して外力へ退避回動しつつ荷体１外面に沿って下降するように構成し、荷体１上の荷体１を係止爪部７の上昇により持ち上げた際、この持ち上げた荷体１と下方の荷体１との間に別の荷体１を供給する供給開放部１０を搬出入開放部２と異なる側に設けた自動積み上げ装置。【選択図】　　　　図２
2004035145.tif 000002
【特許請求の範囲】
【請求項１】
積み上げた荷体を搬入若しくは搬出するための搬出入開放部を設けた機体に、この開放部側を除く対向位置であって前記荷体の外側に配置される取付水平枠部を機体に対してガイド機構に沿って昇降自在に設け、この機体に前記ガイド機構に沿って前記取付水平枠部を昇降駆動する駆動機構を設け、この取付水平枠部に前記荷体外面の突出部分に上昇によって下方から引っ掛かり支承係止する係止爪部を内方への自重による回動付勢若しくはバネ付勢に抗して外方へ退避回動自在に複数設け、前記取付水平枠部の上昇によって各係止爪部が上昇することで前記荷体外面の突出部分に下方から引っ掛かり支承係止して荷体は持ち上げ上昇され、前記取付水平枠部の下降によって前記各係止爪部は内方への付勢に抗して外方へ退避回動しつつ荷体外面に沿って下降するように構成し、各係止爪部を連動機構を介して一斉に外方退避位置へ退避回動させて保持する切り換え操作部を設け、前記荷体上の荷体を前記係止爪部の上昇により持ち上げた際、この持ち上げた荷体と下方の荷体との間に別の荷体を供給する供給開放部を前記搬出入開放部と異なる側に設けたことを特徴とする自動積み上げ装置。
【請求項２】
移動車に載せた前記荷体を移動車毎搬入若しくは搬出し得るように前記搬出入開放部を設け、前記取付水平枠部を前記搬出入開放部側が開放した枠状に構成し、前記搬出入開放部を介して作業位置に前記移動車を位置させた際、前記移動車上の荷体の対向側面外方位置に前記枠状の取付水平枠部が位置し、この取付水平枠部に設けた各係止爪部が前記荷体外面の突出部分に上昇によって下方から引っ掛かり支承係止し得るように構成し、前記取付水平枠部の上昇によって係止爪部により前記荷体が持ち上げ上昇された際、前記搬出入開放部と異なる側に設けた前記供給開放部から別の荷体を、持ち上げた荷体の下の荷体の上に積み重ね供給し得るように構成したことを特徴とする請求項１記載の自動積み上げ装置。
【請求項３】
前記供給開放部から、前記搬出入開放部を介して前記作業位置に配置した前記移動車上の前記荷体上に別の荷体をスライド供給して積み上げ、若しくは積み上げられた荷体をスライド排出して積み下ろしし得る搬送部を前記供給開放部に連設したことを特徴とする請求項２記載の自動積み上げ装置。
【請求項４】
前記搬出入開放部は、機体の正面側に設け、前記供給開放部は機体の側面側に設けたことを特徴とする請求項１〜３のいずれか１項に記載の自動積み上げ装置。
【請求項５】
前記係止爪部を下方より前記荷体外面の突出部分に引っ掛かり支承係止させた際、前記荷体外面の突出部分の外側部に配設され、この荷体の位置ずれを防止する位置ずれ防止用突設部を前記係止爪部に立設したことを特徴とする請求項１〜４のいずれか１項に記載の自動積み上げ装置。
【発明の詳細な説明】
【０００１】
【発明の属する技術分野】
本発明は、荷体の自動積み上げ装置に関するものである。
【０００２】
【従来の技術及び発明が解決しようとする課題】
例えば、製造業者や管理業者或いは販売業者は、商品や部品等を保管する際、積み重ね収納可能な収納箱に収納して工場や倉庫等に積み上げて保管することが多く、また、出荷の際には、この積み上げた収納箱から所望する数の収納箱を積み下ろして出荷する。
【０００３】
また、保管スペースを節約するためには、これらの収納箱をなるべく多段に積み上げた状態で倉庫に保管することが望ましい。
【０００４】
この際、多数収納して重くなった収納箱を、例えば人力で多段に積み上げることは、かなりやっかいであり、その高さが身長を超えれば、到底一人では行えない。
【０００５】
そこで、従来、重量のある収納箱でも、負担なく何段でも自動的に積み上げたり積み下ろしたりできる自動積み上げ（積み下ろし）装置が提案されている。
【０００６】
この自動積み上げ装置について説明すると、コンベアで順次搬送される収納箱を、コンベアの所定位置で持ち上げたり持ち下げたりすることで、収納箱を順次多段に積み上げたり積み下ろしたりできる構成となっている。
【０００７】
更に説明すると、コンベアの所定位置に積み上げ機構と、積み下ろし機構とを設けた構成とし、夫々の機構には、収納箱を昇降させるための昇降部を設け、この昇降部に収納箱に係止し得る係止爪を設けている。
【０００８】
作動を具体的に説明すると、コンベアで搬送される収納箱を積み上げ機構まで搬送して一旦停止させ、昇降部の前記係止爪を収納箱の側部に係止させて持ち上げ、この持ち上げた状態を保持したまま、コンベアを再び作動して別の収納箱を持ち上げた収納箱の下方まで搬送して一旦停止させ、この収納箱の上に、持ち上げた収納箱を下ろすことで、収納箱が二段に積み上げられる。
【０００９】
続いて、上段の収納箱に係止している係止爪をこの収納箱から離脱させ、下段の収納箱の側部に係止させて、前述と同様に昇降部により持ち上げることで、今度は収納箱を二段同時に持ち上げ、この持ち上げた状態を保持したまま、コンベアを作動して更に別の収納箱を搬送して一旦停止させ、この収納箱の上に、持ち上げた二段の収納箱を下ろすことで、収納箱が三段に積み上げられる。
【００１０】
以上、上記動作を繰り返すことで、たとえ重量のある収納箱であっても何段でも自動的に積み上げられるように作動制御される構成である。
【００１１】
また、積み下ろしの際には、積み上げ時の略逆の動作によって、積み上げられた収納箱が積み下ろされる。
【００１２】
ところで、この従来の自動積み上げ装置は、コンベア上で収納箱を積み上げたり積み下ろしたりする構成上、多段に積み上げた収納箱を倉庫に移動させるときなどには、台車やフォークリフト用のパレットの上に移し換えて行う。
【００１３】
しかしながら、多段に積み上げられた収納箱がかなり重い場合や、また、非常に高く積み重ねられている場合には、これをコンベアから持ち上げて台車などに移し換えることは非常に困難である。また、台車やパレット上に移し換える自動移し換え装置を設けることも考えられるが、重く、高く積み上げられているものまで移し換えできるようにすると、非常に大掛かりな装置となり、多大な導入コストがかかってしまうために難しい。
【００１４】
そのため、この自動積み上げ装置は、何段にも高く積み上げることは可能ではあるが、移し換えを考慮すると、結局それほど高く積み上げることができないのが現状であった。
【００１５】
そこで、本発明は、例えば、コンベアから移送される荷体や順次搬送供給する荷体を台車等の移動車に直接次々と積み上げることができ、積み上げた荷体は作業位置からそのまま移動車毎搬出して所望場所へ運搬することができる極めて実用性に秀れた画期的な自動積み上げ装置を提供することを目的としている。
【００１６】
【課題を解決するための手段】
添付図面を参照して本発明の要旨を説明する。
【００１７】
積み上げた荷体１を搬入若しくは搬出するための搬出入開放部２を設けた機体３に、この開放部２側を除く対向位置であって前記荷体１の外側に配置される取付水平枠部４を機体３に対してガイド機構５に沿って昇降自在に設け、この機体３に前記ガイド機構５に沿って前記取付水平枠部４を昇降駆動する駆動機構６を設け、この取付水平枠部４に前記荷体１外面の突出部分１１に上昇によって下方から引っ掛かり支承係止する係止爪部７を内方への自重による回動付勢若しくはバネ付勢に抗して外方へ退避回動自在に複数設け、前記取付水平枠部４の上昇によって各係止爪部７が上昇することで前記荷体１外面の突出部分１１に下方から引っ掛かり支承係止して荷体１は持ち上げ上昇され、前記取付水平枠部４の下降によって前記各係止爪部７は内方への付勢に抗して外方へ退避回動しつつ荷体１外面に沿って下降するように構成し、各係止爪部７を連動機構８を介して一斉に外方退避位置へ退避回動させて保持する切り換え操作部９を設け、前記荷体１上の荷体１を前記係止爪部７の上昇により持ち上げた際、この持ち上げた荷体１と下方の荷体１との間に別の荷体１を供給する供給開放部１０を前記搬出入開放部２と異なる側に設けたことを特徴とする自動積み上げ装置に係るものである。
【００１８】
また、移動車１２に載せた前記荷体１を移動車１２毎搬入若しくは搬出し得るように前記搬出入開放部２を設け、前記取付水平枠部４を前記搬出入開放部２側が開放した枠状に構成し、前記搬出入開放部２を介して作業位置に前記移動車１２を位置させた際、前記移動車１２上の荷体１の対向側面外方位置に前記枠状の取付水平枠部４が位置し、この取付水平枠部４に設けた各係止爪部７が前記荷体１外面の突出部分１１に上昇によって下方から引っ掛かり支承係止し得るように構成し、前記取付水平枠部４の上昇によって係止爪部７により前記荷体１が持ち上げ上昇された際、前記搬出入開放部２と異なる側に設けた前記供給開放部１０から別の荷体１を、持ち上げた荷体１の下の荷体１の上に積み重ね供給し得るように構成したことを特徴とする請求項１記載の自動積み上げ装置に係るものである。
【００１９】
また、前記供給開放部１０から、前記搬出入開放部２を介して前記作業位置に配置した前記移動車１２上の前記荷体１上に別の荷体１をスライド供給して積み上げ、若しくは積み上げられた荷体１をスライド排出して積み下ろしし得る搬送部１３を前記供給開放部１０に連設したことを特徴とする請求項２記載の自動積み上げ装置に係るものである。
【００２０】
また、前記搬出入開放部２は、機体３の正面側に設け、前記供給開放部１０は機体３の側面側に設けたことを特徴とする請求項１〜３のいずれか１項に記載の自動積み上げ装置に係るものである。
【００２１】
また、前記係止爪部７を下方より前記荷体１外面の突出部分１１に引っ掛かり支承係止させた際、前記荷体１外面の突出部分１１の外側部に配設され、この荷体１の位置ずれを防止する位置ずれ防止用突設部１４を前記係止爪部７に立設したことを特徴とする請求項１〜４のいずれか１項に記載の自動積み上げ装置に係るものである。
【００２２】
【発明の実施の形態】
好適と考える本発明の実施の形態（発明をどのように実施するか）を、図面に基づいてその作用効果を示して簡単に説明する。
【００２３】
例えば、荷体１を積んだ移動車１２を搬出入開放部２に搬入すると、この移動車１２は、荷体１を積み上げ積み下ろしする作業位置に配置されることとなる。尚、この際、取付水平枠部４は、搬出入開放部２側が開放した枠状に形成しているため、荷体１を積んだ移動車１２の搬出入がこの取付水平枠部４によって、妨げられることはない。
【００２４】
この取付水平枠部４は、前記取付水平枠部４の上昇によって各係止爪部７が上昇することで前記荷体１外面の突出部分１１に下方から引っ掛かり支承係止して荷体１は持ち上げ上昇され、前記取付水平枠部４の下降によって前記各係止爪部７は内方への付勢に抗して外方へ退避回動しつつ荷体１外面に沿って下降する。
【００２５】
例えば、実施例で示した構成のように取付水平枠部４は、作業位置に配置した移動車１２に載る荷体１の下から二段目の荷体１外側を下降の下限とし、駆動機構６を作動制御することで取付水平枠部４をガイド機構５に沿って昇降させることで、この移動車１２に載る下から二段目の荷体１を持ち上げ又は持ち下げし得るよう設定する。
【００２６】
荷体１を予め一つ積んだ移動車１２を搬出入開放部２から作業位置に搬入し、例えば搬送部１３により供給開放部１０を介して荷体１を供給すると、この荷体１は移動車１２に載る荷体１（最下段の荷体１）の上に供給されて自動的に二段に積み上げられることとなる。
【００２７】
次いで、取付水平枠部４を下限（移動車１２に載る下から二段目の荷体１外側）まで下降させ、この位置から取付水平枠部４を上昇させると、上昇する係止爪部７が移動車１２に載る下から二段目の荷体１外面の突出部分１１に下方から引っ掛かり支承係止してこの荷体１が持ち上げ上昇することとなる。
【００２８】
この持ち上げた荷体１と、移動車１２に載る荷体１（最下段の荷体１）との間に、搬送部１３から供給開放部１０を介して荷体１を供給すると、この荷体１は最下段の荷体１の上に供給されて自動的に二段に積み上げられることとなる。
【００２９】
次いで、取付水平枠部４を下降させることで、持ち上げた荷体１が供給開放部１０を介して供給された荷体１の上に下ろされ、移動車１２上で荷体１が自動的に三段に積み上げられることとなり、更に取付水平枠部４を下降させることで、係止爪部７は、内方への自重による回動付勢若しくはバネ付勢に抗して外方へ退避回動しつつ荷体１外面に沿って下降していくこととなり、取付水平枠部４の下降下限位置で再び上昇させることで、下から二段目の荷体１外面の突出部分１１に係止爪部７が下方から引っ掛かり支承係止してこの荷体１が持ち上げ上昇され、この持ち上げられた二段の荷体１と、下方の荷体１との間に供給開放部１０から荷体１を供給することで、この供給した荷体１が最下段の荷体１上に自動的に供給されて二段に積み上げられることになり、この供給した荷体１の上に持ち上げた二段の荷体１を下ろすことで、荷体１が移動車１２上に四段に積み上げられることとなる。
【００３０】
即ち、取付水平枠部４の上昇に伴って持ち上げられた荷体１と下方の荷体１との間に、供給開放部１０から別の荷体１を供給するように作動制御することで、荷体１が次々と多段に積み上げられることとなり、このような動作を繰り返すことで、移動車１２上に荷体１を所望段積み上げることができる。
【００３１】
荷体１を所望する段数に積み上げた後、切り換え操作部９を切り換え操作すると、係止爪部７が連動機構８を介して一斉に外方退避位置に退避回動して保持された状態となり、積み上げた荷体１を搬出入開放部２から移動車１２毎搬出することができる。よって、所望段積み上げた荷体１を、移動車１２によって作業位置から所望位置へと容易に搬出できることとなる。
【００３２】
従って、本発明は、重量のある荷体１であっても、自動的に積み上げることができることは勿論、荷体１は移動車１２上に直接積み上げでき、移動車１２毎搬出入できるため、従来のように、例えばベルトコンベアから台車やパレット等への移し換えを考慮して積み上げる荷体の高さが制限されることもなく、何段でも高く積み上げて、この積み上げた荷体１を移動車１２によりそのまま倉庫等の所望位置に運搬することができる。
【００３３】
また、例えば、前記供給開放部１０を介して、前記作業位置に配置した前記移動車１２上に前記荷体１をスライド供給若しくは、供給開放部１０を介して前記移動車１２上から荷体１をスライド排出し得る搬送部１３を前記供給開放部１０に連設した構成とすれば、搬送部１３から供給開放部１０に荷体１を順次供給、若しくは、供給開放部１０から搬送部１３へ荷体１を順次排出でき、取付水平枠部４を駆動機構６によってガイド機構５に沿って昇降させるだけで、移動車１２上に荷体１を順次積み上げたり、移動車１２上から荷体１を順次積み下ろしたりすることができ、よって、秀れた作業効率を発揮できることとなるなど、一層実用的となる。
【００３４】
また、例えば、前記搬出入開放部２を機体３の正面側に設け、前記供給開放部１０を機体３の側面側に設けた構成とすれば、移動車１２を機体３に対して正面から真っすぐに直進させるだけで搬出入開放部２に搬入することができ、また、移動車１２を機体３に対して真っすぐに後退させるだけで搬出入開放部２から搬出することができるため、移動車１２を搬出入開放部２に容易に搬出入できることとなる。
【００３５】
また、移動車１２上に供給される荷体１が機体３の側面側から供給されるため、搬出入開放部２に移動車１２を配置した状態で、側方から荷体１を順次移動車１２上に供給でき、これにより、供給開放部１０を介しての荷体１の供給又は排出が、搬出入開放部２を介しての荷体１を載せた移動車１２の搬出入を妨げることはないなど、一層実用的となる。
【００３６】
また、例えば、前記荷体１を前記係止爪部７で持ち上げた際に、この荷体１の位置ずれを防止する位置ずれ防止用突設部１４を前記係止爪部７に立設した構成とすれば、係止爪部７の上昇又は下降によって荷体１を持ち上げ持ち下げする際に、荷体１を係止爪部７により安定して確実に昇降できることとなるなど、一層実用的となる。
【００３７】
【実施例】
図面は本発明の一実施例を図示したものであり、以下に説明する。
【００３８】
本実施例は、積み上げた荷体１を搬入若しくは搬出するための搬出入開放部２を設けた機体３に、この開放部２側を除く対向位置であって前記荷体１の外側に配置される取付水平枠部４を機体３に対してガイド機構５に沿って昇降自在に設け、この機体３に前記ガイド機構５に沿って前記取付水平枠部４を昇降駆動する駆動機構６を設けた構成としている。
【００３９】
具体的には、機体３は、図１に示すように、高さのある方形状の立設枠部３Ａの下部左右部に、正面側に向けて接地脚杆３Ｂを水平突設した構成で、この立設枠部３Ａと、下部左右部から正面側に突出した左右の接地脚杆３Ｂとによってコ字型に囲まれた開放部分を前記搬出入開放部２としている。
【００４０】
また、この搬出入開放部２は、図１，図６に示すように、移動車１２としての台車１２が荷体１を載せた状態で台車１２毎搬入若しくは搬出し得る大きさ，形状に形成している。尚、本実施例では、移動車１２として台車１２を適用した場合を示したが、フォークリフトを移動車１２として適用しても良く、この場合には、搬出入開放部２をフォークリフトのパレットが搬出入し得る形状，大きさに形成する。
【００４１】
また、接地脚杆３Ｂには、台車１２上に積み上げた荷体１の搬出入開放部２への搬出入をガイドするためのガイド枠部３Ｃを設けた構成としている。
【００４２】
このガイド枠部３Ｃは、コ字型に形成した枠体の両端部を接地脚杆３Ｂに付設して形成した構成としている。
【００４３】
本実施例では、この機体３の立設枠部３Ａに、ガイド機構５を介して前記取付水平枠部４を設けた構成としている。
【００４４】
具体的には、この取付水平枠部４は、搬出入開放部２と略同じ形状，大きさの開放部分を有するコ字型に形成し、左右両端部を搬出入開放部２側である正面側に向けて基端部を機体３に連結した構成としている。
【００４５】
ガイド機構５について説明すると、図１，図２に示すように、立設枠部３Ａの左右外側部をアングル状とすることで凹条部１５を構成する一方、この凹条部１５にスライド移動自在に係合するスライド係合部４Ａを取付水平枠部４の基端部に設けて構成している。
【００４６】
更に詳しくは、スライド係合部４ＡはＬ字型に形成して立設枠部３Ａの左右部夫々に配設され、このＬ字型のスライド係合部４Ａのうち、一側内面が立設枠部３Ａの左右夫々の外側部（凹条部１５形成側）に配され、他側内面が立設枠部３Ａの左右夫々の手前側面部に配されるように、立設枠部３Ａに係合した構成としている。
【００４７】
また、スライド係合部４Ａの一側内面には、凹条部１５に係合するローラ体１８を軸着した構成としている。
【００４８】
また、他側内面の端部寄りには、立設枠部３Ａの左右対向内面に係合するローラ体１８を軸着した構成としている。
【００４９】
これにより、取付水平枠部４は、スライド係合部４Ａのローラ体１８によって、機体３に対して昇降駆動することができる。
【００５０】
駆動機構６について説明すると、駆動機構６は、ピストンシリンダ構造によるエアーポンプ装置を採用している。
【００５１】
また、この駆動機構６は、立設枠部３Ａの下部略中央位置に設けた構成としている。
【００５２】
尚、駆動機構６は、エアーポンプ装置以外にも、取付水平枠部４を機体３に対して昇降駆動させ得るものであれば適宜採用しても良く、例えば油圧ポンプ装置等を採用しても良い。
【００５３】
本実施例では、取付水平枠部４には、図１，図２に示すように、荷体１外面の突出部分１１に上昇によって下方から引っ掛かり支承係止する係止爪部７を外方へ退避回動自在に複数設けた構成としている。
【００５４】
具体的には、係止爪部７は、図４に示すように、板材をへの字状に折曲し、折曲部を境にした一側（先端側）の上端面が荷体１を支承する支承面とした構成とし、他側端部（基端側）を後述する軸８Ａに取り付けた構成としている。
【００５５】
係止爪部７の取付水平枠部４に対する取付構造を説明すると、取付水平枠部４の左右の腕部上に軸８Ａを配設し、この軸８Ａの前後二箇所に係止爪部７の他側端部（基端部）を付設した構成としている。即ち、係止爪部７は、軸８Ａに対して突出した状態で付設された構成としている。
【００５６】
また、係止爪部７は、前記支承面が水平方向に向いた状態で軸８Ａに対して回り止めされるように構成すると共に、自重によって外方へひっくり返ることのない位置まで外方へ回動し得るように構成している。即ち、係止爪部７は基端部を軸８Ａに付設し、先端部を軸８Ａに対して内方へ突出した状態で設けたことで、係止爪部７の先端側にかかる自重により、内方へ付勢された構成としている。
【００５７】
また、係止爪部７は、前記軸８Ａに付設した合計四つの係止爪部７（支承面）により、荷体１の両側部を持ち上げ上昇し得る構成としている。
【００５８】
また、係止爪部７の支承面には、この支承面で荷体１外面の突出部分１１を引っ掛かり支承係止して荷体１を持ち上げた際、この荷体１の突出部分１１のやや外側に配置され、荷体１の位置ずれを防止するための位置ずれ防止用突設部１４を立設した構成としている。
【００５９】
これにより、図４に示すように、積み上げた荷体１に対して取付水平枠部４を下降させて、荷体１外面の突出部分１１が係止爪部７の下方から当接すると、係止爪部７は内方へ自重により回動付勢されているために、突出部分１１によって押し上げられ、この突出部分１１を通過したところで、再び内方へ自重により付勢された状態となり、これにより、係止爪部７は荷体１の外面に沿って下降できることとなる。よって、荷体１が多段に積み上げられた状態であっても、内方へ付勢する係止爪部７が取付水平枠部４の下降を妨げることはない。また、取付水平枠部４を上昇させた際には、係止爪部７の支承面で荷体１外面の突出部分１１を引っ掛かり支承係止して持ち上げ上昇することができる。
【００６０】
尚、本実施例の荷体１とは、図２，図４に示すように、例えば機械部品などを収納する樹脂製の箱を示しており、突出部分１１とはこの箱の鍔部などの外方に突出した部分を示している。
【００６１】
本実施例では、各係止爪部７を連動機構８を介して一斉に外方退避位置へ退避回動させて保持する切り換え操作部９を設けた構成としている。
【００６２】
具体的には、連動機構８は、係止爪部７を付設した軸８Ａの夫々の後方端部同志を、一方の軸８Ａが一方向へ回動した際に、他方の軸８Ａが一方の軸８Ａとは逆方向へ回動するように連結した構成としている。
【００６３】
更に具体的には、図５に示すように、係止爪部７を付設した連結杆８Ａの夫々の後方端部に連結杆８Ａと共に回動する回動片８Ｂを設けた構成としている。
【００６４】
また、夫々の軸８Ａに付設した係止爪部７が互いに同じ角度で向き合った際、夫々の軸８Ａの後方端部に付設した回動片８Ｂは上下逆さまとなるように軸８Ａに付設した構成としている。
【００６５】
また、一方の軸８Ａの前方端部には、切り換え操作部９となるレバー９をこの軸８Ａと共に回動し得るように設けた構成としている。
【００６６】
これにより、図５に示すように、レバー９が真上に向いた状態で（この時レバー９を設けた一方の軸８Ａの後方端部に付設した回動片８Ｂは外方斜め下を向いた状態となっている。）、このレバー９を時計回りに（外方に向けて）略９０度回動すると、レバー９を付設した一方の軸８Ａが時計回りに略９０度回動し、同時にこの軸８Ａの後方端部に付設した一方の回動片８Ｂは、時計回りに略９０度回動して、この一方の回動片８Ｂに軸着した連結板８Ｃが所定長さ対向方向へ押し出されることとなる。
【００６７】
この押し出された連結板８Ｃが、他方の軸８Ａの後方端部に付設した他方の回動片８Ｂを、反時計回りに略９０度回動することとなって、この他方の回動片８Ｂの回動により、他方の軸８Ａが反時計回りに略９０度回動し、よって一方の軸８Ａと他方の軸８Ｂとを同時に逆回動できることとなる。よって、レバー９を切り換え操作することで、各係止爪部７を一斉に内方へ自重により回動付勢した状態又は外方退避位置に回動した状態にすることができる。
【００６８】
つまり、図６に示すように、作業位置で台車１２上に荷体１を多段に積み上げた際、このレバー９を切り換え操作して係止爪部７を一斉に外方へ退避した状態とすることで、この多段に積み上げた荷体１を搬出入開放部２から台車１２毎容易に搬出することができる。
【００６９】
本実施例では、取付水平枠部４を駆動機構６によりガイド機構５に沿って上昇させた際、上昇した取付水平枠部４と前記ガイド枠部３Ｃの上部との間を、作業位置に配置した台車１２に機体３の側部から荷体１を供給する供給開放部１０としている。
【００７０】
また、ガイド枠部３Ｃは、作業位置に荷体１を一つ載せた台車１２を配置した際、この荷体１の上部と略同じ高さとなるように設けることで、供給開放部１０から荷体１を供給した際、台車１２に載る最下段の荷体１の上に荷体１が供給される構成としている。
【００７１】
この供給開放部１０には、図２，図３に示すように、荷体１を搬送する搬送部１３（ベルトコンベア１３）を臨設し、このベルトコンベア１３から供給開放部１０を介して搬出入開放部２に荷体１が自動供給されるよう構成している。
【００７２】
また、ベルトコンベア１３は、搬出入開放部２から作業位置に配置された台車１２に載る最下段の荷体１の上部よりも若干高めとなる位置に臨設した構成としている。
【００７３】
これにより、図２，図３に示すように、ベルトコンベア１３によって荷体１を機体３に向けて搬送すると、搬送された荷体１は、供給開放部１０を介して、ベルトコンベア１３よりもやや下方に位置する、台車１２に載る最下段の荷体１の上にスライドしながら供給されていき、供給開放部１０を押し出されると同時に自重により最下段の荷体１上に積み上げられることとなる。
【００７４】
また、ベルトコンベア１３によって、荷体１を供給開放部１０を介して台車１２上まで自動供給できるため、どんなに重量のある荷体１であっても、容易に台車１２上にスライド供給することができる。
【００７５】
前記ベルトコンベア１３を設けた側とは反対側のガイド枠部３Ｃには、供給開放部１０から供給される荷体１が機体３外部に飛び出してしまうことを防止するためのストッパー１７を設けた構成としている。
【００７６】
具体的には、このストッパー１７は、図１，図２，図７に示すように、帯板体を縦にして上端部がガイド枠部３Ｃの上部から上方へ突出するようにこのガイド枠部３Ｃの上部に付設して形成した構成としている。
【００７７】
また、このストッパー１７は、荷体１を当接して受け止めた際にこの受け止めた荷体１が丁度最下段の荷体１上に積み上げられることとなる位置に設けた構成としている。
【００７８】
これにより、たとえ供給開放部１０から荷体１が勢いよく供給されたとしても、この荷体１はストッパー１７によって確実に当接して受け止められ、そのまま自重により最下段の荷体１上に積み上げられるため、ベルトコンベア１３から供給開放部１０を介して供給される荷体１が機体３外部へ飛び出してしまったり、最下段の荷体１の上に傾いて積み上げられて荷崩れを起こしてしまうこともない。
【００７９】
尚、図中符号２０は、機体３を移動可能とする車輪である。
【００８０】
次に積み上げ作動を説明する。尚、本実施例では、ガイド機構５の昇降範囲を、台車１２に載る荷体１の下から二段目の荷体１外側位置を下限とし、ガイド枠部３Ｃの上部に対して取付水平枠部４を荷体１一つを十分にスライド供給し得る高さまで上昇させた位置を上限とした設定としている。これにより、搬出入開放部２に搬入する台車１２上には、予め荷体１を一段又は二段載せてから作業を開始することが望ましい。
【００８１】
本実施例においては、荷体１を予め台車１２上に二段積み上げ、この二段の荷体１を載せた台車１２を搬出入開放部２から作業位置に搬入して積み上げ作業を開始する構成としている。
【００８２】
また、本実施例では、駆動機構６を操作するスイッチ操作部１６に、ワンタッチで取付水平枠部４を一気に台車１２に載る下から二段目の荷体１外側まで下降させる機能を設けている（図示省略）。
【００８３】
荷体１を予め二段積み上げた台車１２を搬出入開放部２から搬入して作業位置に配置し所定のボタンを押すと、取付水平枠部４が、台車１２に載る下から二段目の荷体１外側、即ち、ガイド機構５の下限位置に配置して自動停止することとなる。この際、係止爪部７が外方退避位置に向いている場合は、レバー９を切り換え操作して内方へ自重により回動付勢された状態とする。
【００８４】
取付水平枠部４を駆動機構６によりガイド機構５に沿って上昇させると、図３（ａ）に示すように、係止爪部７の支承面が、荷体１外面の突出部分１１に下方から引っ掛かり支承係止し、更に取付水平枠部４を上昇させることで、図３（ｂ）に示すように、下から二段目の荷体１が持ち上げ上昇されることとなる。この際、台車１２に載る荷体１（最下段の荷体１）と持ち上げた荷体１との間に、荷体１が一つ十分に余裕を持って収まる高さまで取付水平枠部４を持ち上げる。
【００８５】
ベルトコンベア１３から供給開放部１０を介して、最下段の荷体１上に別の荷体１をスライド供給すると、図３（ｃ）に示すように、ベルトコンベア１３から供給開放部１０を介して供給された荷体１が最下段の荷体１上にスライド供給されることとなる。
【００８６】
所定のボタンを押すと、取付水平枠部４が下降し、持ち上げていた荷体１が供給開放部１０を介して供給した荷体１の上に積み上げられて三段となると共に、取付水平枠部４は更に下降して、係止爪部７が荷体１外面の突出部分１１を退避回動しながら荷体１外面に沿って下降し、図３（ｄ）に示すように、台車１２に載る下から二段目の荷体１外側で自動停止する。
【００８７】
取付水平枠部４を再び上昇させると、上昇する係止爪部７によって、今度は台車１２に載る下から二段目の荷体１を最上段の荷体１毎持ち上げることとなる。
【００８８】
持ち上げた荷体１と最下段の荷体１との間に、ベルトコンベア１３から供給開放部１０を介して荷体１を供給し、再び所定のボタンを押すことで、荷体１は台車１２上に四段積み上げられると共に、再び取付水平枠部４は、台車１２に載る下から二段目の荷体１外側で自動停止する。
【００８９】
上記作動を繰り返すことで、台車１２上に荷体１が多段に積み上げられることとなる。
【００９０】
台車１２上に荷体１を所望段積み上げた後、レバー９を係止爪部７が外方退避位置に退避回動して保持するように回動操作することで、台車１２上に所望段積み上げられた荷体１を台車１２毎、機体３外へ搬出できることとなる。
【００９１】
尚、本実施例では、取付水平枠部４を台車１２に載る下から二段目の荷体１外側までボタン一つで下降させることができる構成としたが、上昇についてもボタン一つで行える構成としてもよい。この場合には、取付水平枠部４を上昇させるボタンを押した際、台車１２に載る下から二段目の荷体１を荷体１一つ分の高さよりもやや高めに持ち上げたところで一旦停止するように構成することで、供給開放部１０からの荷体１の供給と、取付水平枠部４を上昇させるボタン操作と下降させるボタン操作だけで台車１２上に荷体１を多段に積み上げることができることとなる。
【００９２】
次に積み下げ作動について説明する。
【００９３】
係止爪部７をレバー９の切り換え操作により外方退避位置に保持した状態の機体３に、搬出入開放部２から荷体１を多段に積み上げた台車１２をこの台車１２毎搬入する。
【００９４】
取付水平枠部４を下から三段目の荷体１外側に移動し、この状態で、レバー９を切り換え操作して係止爪部７を内方へ自重により回動付勢した状態とする。
【００９５】
取付水平枠部４を駆動機構６によりガイド機構５に沿って上昇させると、上昇する係止爪部７によって、下から三段目以上の荷体１が持ち上げられる。
【００９６】
台車１２に載る下から二段目の荷体１を供給開放部１０からベルトコンベア１３にスライド排出する。
【００９７】
持ち上げていた荷体１を台車１２に載る最下段の荷体１上に下ろす。
【００９８】
これにより、台車１２上に多段に積み上げられた荷体１から、一つの荷体１を積み下ろすことができる。
【００９９】
更に荷体１を積み下ろしたい場合には、レバー９を切り換え操作して係止爪部７を外方へ退避させた状態とし、取付水平枠部４を駆動機構６により再び下から三段目の荷体１外側に移動する。
【０１００】
再びレバー９の切り換え操作により係止爪部７を内方へ自重により回動付勢した状態とし、取付水平枠部４を駆動機構６により上昇させ、上昇する係止爪部７により台車１２に載る下から三段目以上の荷体１を持ち上げる。
【０１０１】
台車１２に載る下から二段目の荷体１を供給開放部１０からベルトコンベア１３にスライド排出し、持ち上げた荷体１を最下段の荷体１上に下ろす。
【０１０２】
上述した作動を繰り返すことにより、台車１２に多段に積み上げられた荷体１が、一つずつベルトコンベア１３に積み下ろしていくことができる。
【０１０３】
尚、積み下ろし時においても、取付水平枠部４をボタン一つで昇降し得るように構成しても良い。
【０１０４】
尚、本実施例では、搬送部１３となるベルトコンベア１３をガイド枠部３Ｃの上部及び台車１２に載る最下段の荷体１の上部よりもやや高い位置に隣設した構成としたが、ベルトコンベア１３を例えば昇降可能に構成し、積み上げ時と積み下ろし時で、ベルトコンベア１３の高さを調整してより容易に荷体１を台車１２上に積み上げ積み下ろしできるように構成しても良い。
【０１０５】
【発明の効果】
本発明は上述のように構成したから、例えば、ベルトコンベアから移送される荷体や順次搬送供給する荷体を台車等の移動車に直接次々と積み上げることができ、積み上げた荷体は作業位置からそのまま移動車毎搬出して所望場所へ運搬することができる極めて実用性に秀れた画期的な自動積み上げ装置となる。
【０１０６】
即ち、本発明の係止爪部は、上昇の際には、荷体外面の突出部分に下方から引っ掛かり支承係止して荷体を持ち上げ上昇でき、下降の際には、荷体外面の突出部分を退避回動しながら、この荷体に沿って下降できるため、取付水平枠部を昇降させ、供給開放部から荷体を順次供給するだけで、荷体を何段でも積み上げすることができ、しかも、荷体は移動車上に直接積み上げられるため、従来のように、例えばベルトコンベアから台車やパレット等への移し換えを考慮して積み上げる荷体の高さが制限されることもなく、何段でも高く積み上げて、この積み上げた荷体を移動車によりそのまま倉庫等の所望位置に運搬することができる極めて実用性に秀れた画期的な自動積み上げ装置となる。
【０１０７】
また、請求項２記載の発明においては、荷体を積み上げ積み下ろしする作業位置に、移動車上に積み上げた荷体をこの移動車毎、搬出入開放部を介して搬出入することができ、これにより、移動車上に荷体を直接積み上げて、そのまま所望場所へ運搬することができる極めて実用性に秀れた画期的な自動積み上げ装置となる。
【０１０８】
また、請求項３記載の発明においては、搬送部から供給開放部を介して荷体を搬出入開放部内に順次スライド供給できるため、たとえ重量のある荷体であっても確実且つ容易に多段に積み上げることができ、また、移動車上に多段に積み上げられた荷体から供給開放部を介して、搬送部にこの荷体をスライド排出できるため、たとえ多段に積み上げられた荷体でも、確実且つ容易に積み下ろすことができる一層実用性に秀れた画期的な自動積み上げ装置となる。
【０１０９】
また、請求項４記載の発明においては、移動車を機体に対して正面から真っすぐに直進させるだけで搬出入開放部に搬入することができ、また、移動車を機体に対して真っすぐに後退させるだけで搬出入開放部から搬出することができるため、移動車を搬出入開放部に容易に搬出入することができる。
【０１１０】
また、移動車上に供給される荷体が機体の側面側から供給されるため、搬出入開放部に移動車を配置した状態で、側方から荷体を順次移動車上に供給でき、これにより、供給開放部を介しての荷体の供給又は排出が、搬出入開放部への荷体を載せた移動車の搬出入を妨げることはなく、よって、移動車上に多段に積み上げられた荷体をこの移動車毎搬出入することができる一層実用性に秀れた画期的な自動積み上げ装置となる。
【０１１１】
また、請求項５記載の発明においては、前記荷体を前記係止爪部で持ち上げた際に、この荷体の位置ずれを防止する位置ずれ防止用突設部を前記係止爪部に立設した構成とすれば、係止爪部の上昇又は下降によって荷体を持ち上げ持ち下げする際に、荷体を係止爪部により安定して昇降することができる一層実用性に秀れた画期的な自動積み上げ装置となる。
【図面の簡単な説明】
【図１】本実施例の全体斜視図である。
【図２】本実施例の使用状態を示す全体説明斜視図である。
【図３】本実施例の荷体を積み上げる一連の作動を示す説明図である。
【図４】本実施例の荷体外面の突出部分に対する係止爪部の退避回動を示す拡大説明図である。
【図５】本実施例の連動機構を示す拡大説明斜視図である。
【図６】本実施例の搬出入開放部に対して台車に多段に載せた積み上げた荷体を台車毎搬出入可能であることを示す説明斜視図である。
【図７】本実施例の説明正面図である。
【符号の説明】
１　荷体
２　搬出入開放部
３　機体
４　取付水平枠部
５　ガイド機構
６　駆動機構
７　係止爪部
８　連動機構
９　切り換え操作部
１０　供給開放部
１１　突出部分
１２　移動車
１３　搬送部
１４　位置ずれ防止用突設部
【図１】
2004035145.tif 000003
【図２】
2004035145.tif 000004
【図３】
2004035145.tif 000005
【図４】
2004035145.tif 000006
【図５】
2004035145.tif 000007
【図６】
2004035145.tif 000008
【図７】
2004035145.tif 000009